(57)【特許請求の範囲】
【請求項１】
扉の屋外側にキーにて施解錠が行われるシリンダ錠を備え、屋内側に前記シリンダ錠と連動し施解錠操作を行える回転操作部材を備える施解錠装置において、  前記扉の屋内面に設けられ、操作孔（６０）が穿設されたカバー板（５９）と、
前記カバー板（５９）の背部に設けられる略矩形板状部材よりなるベース板（１９）であって、その屋内側の面となる表面の略中央に凹部（２１）が形成され、該凹部（２１）の中央には下端へ連続して延びる溝部（２５）が形成されたベース板（１９）と、
前記扉の屋内側に位置し、前記シリンダ錠に連動連結され前記錠箱内にてロック部材を前記扉端面より進退させる作動部材に嵌合し回動自在で連動連結されるとともに、屋内側端面に嵌合孔（１５）よりなる被連結部が形成された略軸状の部材よりなり、前記ベース板（１９）の前記凹部（２１）の略中央に形成された取付孔（２３）に回動自在に取り付けられた連結軸部（１３）と、
前記カバー板（５９）の操作孔（６０）を貫通する軸部（６７）を備えるとともに、該軸部（６７）の先端に、前記連結軸部（１３）の被連結部を構成する嵌合孔（１５）内に挿入されて嵌合し連動連結する連結凸部（７１）よりなる連結部が形成され、基端に把持部が設けられる回転操作部材（６５）と、
前記カバー板（５９）と前記連結軸部（１３）の被連結部との間に位置し、前記扉の屋内面に沿い前記回転操作部材の軸線に対し直交する方向にスライド移動自在に配設されるとともに、付勢部材（５３）により一方のスライド方向に付勢され、前記カバー板（５９）の操作孔（６０）を塞ぎ前記連結軸部（１３）の被連結部を遮蔽する遮蔽部（４７）を備えるとともに、前記カバー板（５９）の操作孔（６０）と前記被連結部とを連通させ前記回転操作部材（６５）の軸部（６７）を貫通状態とする貫通穴部（３７）を備え、前記ベース板（１９）表面の略中央に形成された前記凹部（２１）内に形成された前記溝部（２５）に上下方向にスライド移動自在に装着される操作板（３１）と、
前記ベース板（１９）の前記凹部（２１）に嵌合固定され、ベース板（１９）の前記取付孔（２３）に対応して貫通孔（５７）が穿設され、ベース板（１９）との間に前記操作板（３１）がスライド移動自在に設けられる押さえ板（５５）と、
を具備し、前記カバー板（５９）は、前記ベース板（１９）の表面側を覆うようにベース板（１９）の表面側に嵌め込むことで取り付けられ、前記回転操作部材（６５）の軸部（６７）が、前記カバー板（５９）の操作孔（６０）、前記押さえ板（５５）の貫通孔（５７）、前記操作板（３１）の貫通穴部（３７）を貫通して、前記軸部（６７）先端の連結部が前記連結軸部（１３）の被連結部が嵌合されるようにしたことを特徴とする施解錠装置。
【請求項２】
前記連結軸部の前記被連結部を凸形状とし、前記回転操作部材の前記軸部の先端に形成した前記連結部を凹溝形状として、互いに軸方向に脱着自在とされていることを特徴とする請求項１記載の施解錠装置。
【請求項３】
前記回転操作部材の軸部の中途部外周面に、軸線方向と直交する周方向となって凹溝が形成されるとともに、前記操作板の貫通穴部の周縁の一部に、前記凹溝と係合する係合部が形成され、前記付勢部材の付勢力にて、前記凹溝と前記係合部との係合状態を保持させることを特徴とする請求項１又は２記載の施解錠装置。
【発明の詳細な説明】
【０００１】
【発明の属する技術分野】
本発明は、玄関ドアなどの開閉体に設けられ、このドアに対して施解錠を行う施解錠装置に関するものである。
【０００２】
【従来の技術】
玄関ドアなどには、通常、シリンダ錠が配設されており、屋外側からは鍵を用いて、このシリンダ錠を回動操作し、デッドボルトの進退を行って施錠及び解錠を行うようになっており、また、屋内側からはシリンダ錠に連動連結されているサムターンを回動操作することでデッドボルトの進退を行い施錠及び解錠を行うようになっている。
【０００３】
そして、通常、このサムターンの回動は、約９０°の回動範囲内とされ、その範囲で施錠又は解錠となるよう構成されており、このサムターンの略平板状に形成されているつまみ部を略垂直な状態と略水平な状態との間で回動させることで、例えば垂直な状態の際に解錠状態となり、また水平な状態の際に施錠状態となるようになっている。
【０００４】
一般に、上述したサムターンの構造は、錠箱内にてデッドボルトの進退を連動させる軸状の部材であり、ドアの屋内側面や座金，エスカチオンより突出するこの軸部材の端部に、つまみ部が一体に形成されている。そして、このつまみ部は、容易につまみ易いように軸部材に対して外側に延出するよう形成され、この軸部材とつまみ部とで略Ｔ字状に形成されており、容易に損壊しないように鋳造品など剛体よりなる。
【０００５】
【発明が解決しようとする課題】
上述したサムターンの構造では、通常の使用方法は、サムターンの設けられている側、すなわち屋内側に設けられている場合には、その屋内側より操作することとなり、サムターンに対し対向状態でこのサムターンのつまみ部をつまみ回動操作を行う使用方法であるが、上記したようにこのサムターンが剛体であることから、つまみ部をつままずに回動させることが可能である。
すなわち、軸部材に対して外方向に延出して形成されるつまみ部の一対となる翼状部分の一方側のみに回転力を加えることで、このサムターンの軸部材を回動させる通常の使用方法以外の操作が可能である。
【０００６】
このことから、サムターンを備えた施錠装置の設けられるドアに、ガラス窓部分を有しているドアである場合や、ドアに隣接して屋内への採光を行うためのガラス窓部がある場合に、屋外側からガラス窓の一部を割り、手を屋内側へ入れ、手探りでサムターンのつまみ部の翼状部分の一方に回転力を加えることで、サムターンを回動操作されてしまうおそれがあり、すなわち、施錠状態が解除され侵入されてしまうという防犯上の問題がある。
【０００７】
そこで本発明は、上記問題点を解消するために、不正な回動操作を防止することの可能な屋内側の施解錠構造を備えた防犯性を有する施解錠装置を提供することを目的としている。
【０００８】
【課題を解決するための手段】
次に、上記の課題を解決するための手段を、実施の形態に対応する図面を参照して説明する。
【０００９】
この発明の施解錠装置は、扉の屋外側にキーにて施解錠が行われるシリンダ錠を備え、屋内側に前記シリンダ錠と連動し施解錠操作を行える回転操作部材を備える施解錠装置において、前記扉の屋内面に設けられ、操作孔６０が穿設されたカバー板５９と、前記カバー板５９の背部に設けられる略矩形板状部材よりなるベース板１９であって、その屋内側の面となる表面の略中央に凹部２１が形成され、該凹部２１の中央には下端へ連続して延びる溝部２５が形成されたベース板１９と、前記扉の屋内側に位置し、前記シリンダ錠に連動連結され前記錠箱内にてロック部材を前記扉端面より進退させる作動部材に嵌合し回動自在で連動連結されるとともに、屋内側端面に嵌合孔１５よりなる被連結部が形成された略軸状の部材よりなり、前記ベース板１９の前記凹部２１の略中央に形成された取付孔２３に回動自在に取り付けられた連結軸部１３と、前記カバー板５９の操作孔６０を貫通する軸部６７を備えるとともに、該軸部６７の先端に、前記連結軸部１３の被連結部を構成する嵌合孔１５内に挿入されて嵌合し連動連結する連結凸部７１よりなる連結部が形成され、基端に把持部が設けられる回転操作部材６５と、を具備している。さらに、前記カバー板５９と前記連結軸部１３の被連結部との間に位置し、前記扉の屋内面に沿い前記回転操作部材の軸線に対し直交する方向にスライド移動自在に配設されるとともに、付勢部材５３により一方のスライド方向に付勢され、前記カバー板５９の操作孔６０を塞ぎ前記連結軸部１３の被連結部を遮蔽する遮蔽部４７を備えるとともに、前記カバー板５９の操作孔６０と前記被連結部とを連通させ前記回転操作部材６５の軸部６７を貫通状態とする貫通穴部３７を備え、前記ベース板１９表面の略中央に形成された前記凹部２１内に形成された前記溝部２５に上下方向にスライド移動自在に装着される操作板３１と、前記ベース板１９の前記凹部２１に嵌合固定され、ベース板１９の前記取付孔２３に対応して貫通孔５７が穿設され、ベース板１９との間に前記操作板３１がスライド移動自在に設けられる押さえ板５５と、を具備している。前記カバー板５９は、前記ベース板１９の表面側を覆うようにベース板１９の表面側に嵌め込むことで取り付けられ、前記回転操作部材６５の軸部６７が、前記カバー板５９の操作孔６０、前記押さえ板５５の貫通孔５７、前記操作板３１の貫通穴部３７を貫通して、前記軸部６７先端の連結部が前記連結軸部１３の被連結部が嵌合されるようにしたことを特徴としている。
【００１０】
上記の構成では、回転操作部材の軸部６７の先端に連結部としての連結凸部７１を形成し、連結軸部１３に被連結部としての嵌合孔１５を形成したが、これに換えて、連結軸部の被連結部を凸形状とし、前記回転操作部材の前記軸部先端の連結部を凹溝形状として、互いに軸方向に脱着自在とされる構成としても差し支えない。
【００１１】
なお、前記回転操作部材６５の軸部の中途部外周面に、軸線方向と直交する周方向となって凹溝７３が形成されるとともに、前記操作板３１の貫通穴部３７の周縁の一部に、前記凹溝７３と係合する係合部４１が形成され、前記付勢部材５３の付勢力にて、前記凹溝７３と前記係合部４１との係合状態を保持させる構成としてもよい。
【００１２】
このような構成により、施解錠装置１は、通常の使用時においては、回転操作部材６５の回転操作にて、施錠及び解錠が行われる。そして、回転操作部材６５を抜き去ることにより、屋内側からは解錠等の操作が不可能となる。
これにより、屋外側からガラスを破壊されるなどして不正に手を伸ばしての解錠操作は不可能となり、侵入者の侵入を防止することが可能となる。
【００１３】
特に、回転操作部材６５による操作を行うためには、操作板３１を一方の手でスライド操作し、他方の手で回転操作部材６５を取り付けるという、両手を必要とする操作が必要になることから、侵入者が屋外からの片手での操作にて回転操作を行おうとも、屋内側から、錠部分に対して正面から操作を行うようにしなければ、錠箱７内に配設されている連結軸部１３及び又は作動部材８に対しては回動操作を行うことは不可能であり、さらに操作板３１の遮蔽部４７が、操作孔６０の遮蔽及び連結軸部１３の被連結部１５を遮蔽していることから、容易に操作することは不可能であり、回転操作を行うためには、遮蔽部４７を移動させるという他の操作が必要となり、このようなことからも不正な解錠を不可能とする防犯効果を得られる。
【００１４】
【発明の実施の形態】
図１は本発明による施解錠装置の実施の形態を示す概略分解斜視図、図２は同施解錠装置の側断面図である。
【００１５】
本実施の形態の施解錠装置１は、例えば開閉体としての玄関ドアなどの扉３に配設され、扉３の屋外側にキーにて施解錠が行われるシリンダ錠５を備え、屋内側にシリンダ錠５と連動し施解錠操作を行える回転操作部材としてのサムターン６５を備えるものである。
本発明の施解錠装置１は、錠箱７と、シリンダ錠５と、連結軸部１３と、操作板３１と、カバー板５９と、サムターン６５とで大略構成されている。
【００１６】
錠箱７は、例えば扉３の端部に内蔵され、錠箱７に固定されたフロント板（図示せず）が扉３の小口（前端面）に露出して取り付けられる。この錠箱７内には、図示しないロック部材が内蔵される。このロック部材は、錠箱７内に回動自在に配設される作動部材８に連動連結されており、この作動部材８の屋外側にシリンダ錠５が連動連結され、また屋内側に後述するサムターン６５が連動連結され、これらシリンダ錠５，サムターン６５の操作によって、錠箱７に対しスライドし、扉３のフロント板から進退されるようになっている。つまり、扉枠に対しての施解錠を可能とする。なお、ここでは、錠箱７内の具体的な機構の説明は省略する。
【００１７】
なお、このロック部材としては、扉枠側に取り付けられたガードアームに係止してドアチェーンと同様の働きをするガードボルト、主施錠手段となるデッドボルト、円弧状の可動軌跡を描いて突出されるカマデット、扉の上端面或いは下端面から進退して扉枠に係合するロック手段等が含まれる。
【００１８】
シリンダ錠５は、扉端部における屋外面に配設される台座ユニット９に設けられ、キーの挿入口が屋外側に露出し、キー操作により回転する回転軸１１が台座ユニット９内部に突出する。そして、この回転軸１１が錠箱７内の作動部材８に連動連結される。
なお、図１に示す施解錠装置１は、シリンダ錠５が上下に２カ所配設されるダブルロック錠とされるが、このシリンダ錠が１つで構成される施解錠装置とされてもよい。
【００１９】
連結軸部１３は、図３に示すように、略軸状の部材で、中途から一端側が略円柱状に形成され、他端側が略十字状に形成されている。一端の円柱状部分１３ａは、先端外周縁にフランジ部１４が形成され、端面に被連結部としての嵌合孔１５が形成されている。本実施の形態での嵌合孔１５は、図３に示すように、略十字形状に形成されている。また、他端１３ｂ側は軸線方向に畦状突起が形成されて断面略十字形状に連続する連結部１７が形成されている。なお、この実施の形態の連結軸部１３は、一端側となっている円柱状部分１３ａが軸線方向に断面略十字状の貫通孔が形成されて、この貫通孔の他端側に、断面略十字状の部材を嵌め込み円柱状部材に対して固定して得られる。
そして、この連結軸部１３は、ベース板１９に回動自在に取り付けられる。
【００２０】
ベース板１９は、台座ユニット９に対応する略矩形板状部材で、扉３の屋内面に配設される。このベース板１９は、図４に示すように、屋内側の面となる表面の略中央に凹部２１が形成される。
凹部２１の略中央には、取付孔２３が板面を貫通して形成されているとともに、ベース板１９裏面に筒状の支持部２４が突設されている。そしてこの取付孔２３に、上記した連結軸部１３が取り付けられる。なお、連結軸部１３は、取付孔２３に対して一端側の円柱状部分１３ａが支持されて回動自在とされ、他端の連結部１７が、ベース板１９の裏面側に突出するようになっており、一端の嵌合孔１５が、ベース板凹部２１に表出するようになる。
【００２１】
そして、ベース板１９が扉の屋内面に取り付けられた状態で、図２に示すように、取付孔２３がシリンダ錠５の軸線と同軸線となり、ベース板１９裏面に突出する連結軸部１３の連結部１７が、前述した錠箱７内に延び、この錠箱７内の作動部材８に嵌合し連動連結される。
【００２２】
また、このベース板１９には、凹部２１中央に、下端へ連続して延びる溝部２５が形成されるとともに、この溝部２５中央には、さらに細幅で上下に所定長さに形成されるガイド溝２７が形成されている。そして、この溝部２５には、後述する操作板３１が取り付けられる。
なお、ベース板１９の裏面には、上下に取付脚部１９ａ，１９ｂがそれぞれ突設され、このベース板１９の表面から扉３を貫通し台座ユニット９に螺着されるネジなどの固定部材２０が貫通する。
【００２３】
操作板３１は、図５に示すように、上下に長尺な略短冊板状に形成され、本実施の形態では、スライド部３３と、操作つまみ３５とで構成される。
スライド部３３は、左右両側縁が折曲形成され略コ字状に形成され、ベース部１９の溝部２５と略同幅長に形成されている。また、上方中途部分に貫通穴部３７が穿設され、下方には係合穴部３９が穿設されている。
【００２４】
上方の貫通穴部３７は、小径な穴と大径な穴とが、それぞれの中心点を上下に所定長さずらした所謂ダルマ穴形状とされるとともに、左右側部を略矩形に切除した形状とされている。上半部の小径部分は後述するサムターン６５の軸部６７に形成される凹溝７３の外径と略同径な円弧状とされ、下半部の大径部分は後述するサムターン６５の軸部６７の外径と略同径若しくはやや大径な円弧状に形成されている。なお、本実施の形態では、この貫通穴部３７は、中心点の上下のずれは、上側の小径穴の半径長と略同等とされており、この小径穴部分は半円弧状の周縁部を有し、この周縁部を係合部４１とされている。
【００２５】
また、下側の大径穴部分の半円状縁部の下部中央には下方に延びるスリット状穴部４３が連続形成されている。
このスリット状穴部４３の下端には、スライド部３３の裏面方向に突出するバネ支持片４５が設けられ、また、このバネ支持片４５の下方にはガイド凸部４６が同裏面に突出形成されている。これらバネ支持片４５とガイド凸部４６とは、ベース板１９に形成されるガイド溝２７に挿入される。
【００２６】
貫通穴部３７の上方となるスライド部３３の上端部分は、その板面を遮蔽部４７とされ、前述したベース板１９の取付穴２３が十分に隠れる面積を備えた大きさとされている。
【００２７】
スライド部３３の下方に穿設される係合穴部３９は、略矩形状に形成され、操作つまみ３５の一対の係合爪４９が嵌入する。また、スライド部３３の下端には、係合段部５０が両側に対となって形成される。
【００２８】
操作つまみ３５は、裏面が開放した略方形箱状で、下縁表面側に凸部５１が形成されており、上端縁に一対の係合爪４９が突設されるとともに、裏面の両側部に内向きに突出する係合片５２が形成されている（図８参照）。そして、この操作つまみ３５は、スライド部３３の下端に、各係合爪４９を係合穴部３９に裏面から係合させるとともに、各係合片５２を係合段部５０に当接させて取り付けられる。
【００２９】
そして、この操作板３１は、ベース板１９の溝部２５に装着され、ベース板１９に対し溝部２５に沿って上下方向にスライド移動自在とされる。
この操作板３１のベース板１９に対する装着状態では、操作板３１のバネ支持片４５とガイド凸部４６のそれぞれが、ベース板１９のガイド溝２７内に位置し、このガイド溝２７内でのベース板１９の取付穴２３を形成する縁部下縁２３ａと、操作板３１のバネ支持片４５との間に、付勢部材としての圧縮コイルバネよりなる付勢バネ５３が装着される。すなわち、操作板３１はベース板１９に対して、常に下方向へ付勢される。なお、操作板３１は、下端の操作つまみ３５が、ベース板１９より下方に突出して取り付けられる。
【００３０】
そして、操作板３１が装着されたベース板１９には、押さえ板５５が凹部２１に嵌められ、ネジなどの固定部材によって取り付けられる。すなわち、この押さえ板５５とベース板１９との間に操作板３１が位置し、上下に摺動自在とされる。なお、この上下スライドの操作は、下端の操作つまみ３５により行われ、そのスライド移動のストロークは、ベース板１９のガイド溝２７の長さで設定され、このガイド溝２７を摺動移動する操作板３１のバネ支持片４５の移動範囲であり、ベース板１９の取付穴２３に対し、この取付穴２３を遮蔽部４７にて遮蔽する位置から、取付穴２３と貫通穴部３７の下側大径部分とが一致する位置までの間に設定される。
【００３１】
押さえ板５５は、図１に示すように、矩形板状で、中央上方よりに貫通孔５７が穿設されている。この貫通孔５７は、ベース部１９の取付穴２３に対応し、この取付穴２３と略同径の内径に形成されるとともに同軸線上に配置される。
【００３２】
カバー板５９は、扉３の屋内面側に表出する化粧板材で、いわゆるエスカチオンとされる。このカバー板５９は、ベース板１９に対し、その表面側に嵌め込むことで取り付けられ、ベース板１９の表面側を覆うように取り付けられる。
図６に示すように、カバー板５９の略中央には操作孔６０が穿設されている。この操作孔６０は、押さえ板５５の貫通孔５７よりやや大径に形成され、この貫通孔５７に対応してベース板１９に取り付けられる。
また、カバー板５９の下縁には、左右一対の略方形状の支持凸部６１が一体に突出形成されている。これら支持凸部６１は、図８（ｂ）に示すように、操作板３１の操作つまみ３５の左右に位置するようになっている。
【００３３】
次に、サムターン６５は、図７に示すように、軸部６７と、この軸部６７の基端に設けられる把持部としてのつまみ部６９とで構成される。
軸部６７は、略円柱状に形成されているとともに、先端に所定形状の連結部としての連結凸部７１が突出形成されている。本実施の形態の連結凸部７１は、略矩形平板状に形成されており、前述した連結軸部１３の嵌合孔１５に嵌入自在とされている。また、軸部６７の中途部外周面には、軸線方向と直交する周方向となって凹溝７３が形成されており、すなわち軸部の外径より細径に形成されている。
【００３４】
そして、このサムターン６５の軸部６７は、カバー板５９の操作孔６０を貫通するとともに、押さえ板５５の貫通孔５７、操作板３３の貫通穴部３７を貫通し、ベース板１９の取付穴２３に取り付けられている連結軸部１３の嵌合孔１５に先端の連結凸部７１が嵌合する。
【００３５】
次に、上記のように構成された施解錠装置１の作用を説明する。
通常の使用状態は、図８（ａ）（ｂ）に示すように、サムターン６５は扉３の屋内側に取り付けられた状態であり、このサムターン６５の回転操作にて、施錠及び解錠が屋内にて行われる。
【００３６】
すなわち、このサムターン６５を一方の方向に所定角度、例えば９０°回転させることで、サムターン６５とともに連結軸部１３が回転し、錠箱７内の作動部材８を回動させてロック部材を錠箱７に対してスライド移動させ、扉３のフロント板から進出させて扉枠に対して施錠を行い、また、逆の方向にサムターン６５を所定角度（９０°）回転させることで、ロック部材を後退させて解錠が行われる。
【００３７】
この通常の状態では、サムターン６５は、軸部６７の先端の連結凸部７１が連結軸部１３の嵌合孔１５に嵌合し、連動連結状態となり、軸部６７の中途部の凹溝７３が操作板３１の貫通穴部３７における係合部４１と係合状態となる。このときの操作板３１は、付勢バネ５３の付勢力により、その係合状態が保たれ、サムターン６５は軸方向への抜脱は不可能となり、回転のみが行える。
【００３８】
次に、防犯状態とする場合には、まず、一方の手で操作板３１の操作つまみ３５を、付勢バネ５３の付勢力に抗して上方向にスライド移動させ（図９（ａ）参照）、サムターン軸部６７の凹溝７３と係合部４１との係合状態を解く。スライドした操作板３１は、貫通穴部３７の下側大径部分が上昇し、すなわち図９（ｂ）に示すようにサムターン６５の軸部６７が通過可能な穴部となる。これにより、サムターン６５は抜脱可能となり、他方の手で軸方向に引き抜くことで、連結軸部１３との嵌合状態を解き、取り外される。
【００３９】
サムターン６５が取り外された後、操作つまみ３５を持つ一方の手を放すと、操作板３１は、付勢バネ５３の付勢力により、下方にスライド移動する。操作板３１は、バネ支持片４５がガイド溝２７の下端まで下降し停止する。そして、操作板３１が停止すると、この操作板３１の遮蔽部４７が、カバー板５９の操作孔６０に位置し、すなわち、図１０（ａ）（ｂ）に示すように、サムターン６５の軸部６７を嵌入させる穴部分を塞ぎ、連結軸部１３の嵌合孔１５を遮蔽する。
これにより、屋内側からは、サムターン６５が扉に取り付けられていない状態となり、施解錠の操作が不可能となる。
【００４０】
また、サムターン６５を取り付けるには、まず、一方の手で操作板３１の操作つまみ３５を上方にスライド移動させ、操作板３１の貫通穴部３７をカバー板５９の操作孔６０に対応させる。このとき貫通穴部３７の下側大径部分を操作孔６０に位置させる。次に、他方の手でサムターン６５の軸部６７を操作孔６０へ挿入する。そして、軸部先端の連結凸部７１を連結軸部１３の嵌合孔１５に嵌合させる。
操作つまみ３５から一方の手を放せば、操作板３１は付勢バネ５３の付勢力により下方に付勢移動し、貫通穴部３７の係合部４１が、サムターン軸部６７の凹溝７３に係合し、サムターン６５は抜脱不能となる（図８参照）。
【００４１】
従って、このような構成の施解錠装置１によれば、通常の使用時においては、サムターン６４は扉３の屋内面に回動可能に取り付けられ、その回転操作にて、施錠及び解錠が行われる。
そして、操作板３１の係合部４１との係合状態を解除してサムターン６５を抜き去れば、屋内側からは解錠等の操作が不可能となる。
これにより、屋外側からガラスを破壊されるなどして不正に手を伸ばしての解錠操作は不可能となり、侵入者の侵入を防止することが可能となる。
【００４２】
特に、サムターン６５による操作を行うためには、操作板３１を一方の手でスライド操作し、他方の手でサムターン６５を取り付けるという、両手を必要とする操作が必要になることから、侵入者が屋外からの片手での操作にてサムターンと同様の回転操作を行おうとも、屋内側から、錠部分に対して正面から操作を行うようにしなければ、錠箱７内に配設されている連結軸部１３及び作動部材８に対しては回動操作を行うことは不可能であり、さらに操作板３１の遮蔽部４７が、連結軸部１３の嵌合孔１５を遮蔽していることから、容易に連結軸部１３を操作することは不可能であり、連結軸部１３に対しての操作を行うためには、遮蔽部４７を移動させるという他の操作が必要となり、このようなことからも不正な解錠を不可能とする防犯効果を得られる。
【００４３】
なお、上述した実施の形態では、サムターン６５と、このサムターン６５の連結凸部７１に嵌合し錠箱７内の作動部材８に連結される連結軸部１３とを備える構成とした例について説明した。
尚、本発明の参考例として、図１１に示すように、サムターン６６の軸部６８を長尺に形成し、先端に形成される連結凸部７１を、図１２に示すように、錠箱７内に突出させる構成とし、この連結凸部７１を、ロック部材を進退動作させる作動部材８に直接嵌合させる構成としてもよい。
この場合、錠箱７内の作動部材８に十分に届く長さの軸部６８を備えたサムターン６６、若しくは軸部を備えるその他の構造の回転操作部材でなければ、回転操作を行うことが不可能となり、容易に解錠操作を行うことができないという防犯性を向上させる効果を得られる。
【００４４】
また、上述した実施の形態では、連結軸部１３に形成される被連結部を嵌合孔１５とし、回転操作部材としてのサムターン６５の連結部を連結凸部７１として、互いを嵌合させる例について示したが、これら被連結部と連結部との形状は、これに限定されることはなく、互いが軸方向にて脱着自在とされるとともに、回動を伝達する構造であれば、その他の形状にて構成されることとしてもよく、例えば、被連結部を凸形状とし、連結部を凹溝形状としてもよい。
【００４５】
さらに、上述した実施の形態では、回転操作部材をサムターン６５として構成し、このサムターン６５を取り付けることで施解錠を行うこととして説明したが、このサムターン以外に、軸状部材の先端に連結部を備える構成のものであれば、その他の構成としてもよく、例えば、このサムターン６５を紛失した場合や、サムターンを用いることができない場合などには、回転操作部材として図１３（ａ）に示すようなドライバーなど把持部を有し先端が所定の形状に形成される工具８１や、図１３（ｂ）に示すような屋外側にて用いるシリンダ錠５に使用するキー８３などを用いて、連結軸部１３に対し、これら工具８１やキー８３の先端を嵌合孔１５に差し込み、回転操作を行うこととしてもよく、このような工具８１を使用する例としては前述した連結軸部１３を具備しない構成に対しても図１４に示すように回転操作を行える。さらには、この回転操作部材としては、例えばコインなどを使用することとしてもよい。これらの回転操作部材を用いる場合にも、操作板３１をスライド移動させ、嵌合孔（被連結部）１５を表出させ、操作を行うこととなる。
【００４６】
【発明の効果】
以上説明したように本発明による施解錠装置では、通常の使用時においては、回転操作部材は扉の屋内面に回動可能に取り付けられ、その回転操作にて、施錠及び解錠が行われる。そして、この回転操作部材を抜き去れば、扉の屋内側からの解錠等の操作が不可能となる。
これにより、屋外側からガラスを破壊されるなどして不正に手を伸ばしての解錠操作は不可能となり、侵入者の侵入を防止することが可能となる。
【００４７】
特に、回転操作部材による操作を行うためには、操作板を一方の手でスライド操作し、他方の手で回転操作部材を取り付けるという、両手を必要とする操作が必要になることから、侵入者が屋外からの片手での操作にて同様の操作を行おうとも、屋内側から、錠部分に対して正面から操作を行うようにしなければ、錠箱内に配設されている連結軸部若しくは作動部材に対しては回動操作を行うことは不可能であり、さらに操作板の遮蔽部が、これら連結軸部の被連結部若しくは作動部材を遮蔽していることから、容易にこれらを操作することは不可能であり、これら連結軸部若しくは作動部材に対しての操作を行うためには、遮蔽部を移動させるという他の操作が必要となり、このようなことからも不正な解錠を不可能とする防犯効果を得られる。
【００４８】
また、操作板に係合部を設け、回転操作部材の軸部に凹溝を設ける構成とすることにより、この回転操作部材が取り付けられた状態では、軸方向の抜脱を不可能とし、回動方向のみの状態とすることができ、通常の使用時において、この回転操作部材による屋内側からの施錠及び解錠操作を支障なく行うことが可能となる。
【図面の簡単な説明】
【図１】  本発明による施解錠装置の一実施の形態を示す分解斜視図
【図２】  同施解錠装置を示す側面図
【図３】  同施解錠装置を構成する連結軸部を示す斜視図
【図４】  同ベース板を示す斜視図
【図５】  同操作板を示す分解斜視図
【図６】  同カバー板を示す斜視図
【図７】  同回転操作部材（サムターン）を示す斜視図
【図８】  同施解錠装置の動作を示す側断面図
【図９】  同施解錠装置の動作を示す側断面図
【図１０】  同施解錠装置の動作を示す側断面図
【図１１】  本発明の参考例としての、他の実施の形態の回転操作部材（サムターン）を示す側面図
【図１２】  同他の実施の形態の施解錠装置を示す側断面図
【図１３】  他の実施の形態を示す施解錠装置の一部側面図
【図１４】  他の実施の形態を示す施解錠装置の一部側面図
【符号の説明】
１…施解錠装置
３…扉
５…シリンダ錠
７…錠箱
８…作動部材
１３…連結軸部
１５…被連結部（嵌合孔）
３１…操作板
３７…貫通穴部
４１…係合部
４７…遮蔽部
５３…付勢部材（付勢バネ）
５９…カバー板
６０…操作孔
６５，６６…回転操作部材（サムターン）
６７，６８…軸部
６９…把持部（つまみ部）
７１…連結部（連結凸部）
７３…凹溝
【図１】
0004343389.tif 000002
【図２】
0004343389.tif 000003
【図３】
0004343389.tif 000004
【図４】
0004343389.tif 000005
【図５】
0004343389.tif 000006
【図６】
0004343389.tif 000007
【図７】
0004343389.tif 000008
【図８】
0004343389.tif 000009
【図９】
0004343389.tif 000010
【図１０】
0004343389.tif 000011
【図１１】
0004343389.tif 000012
【図１２】
0004343389.tif 000013
【図１３】
0004343389.tif 000014
【図１４】
0004343389.tif 000015